(57)【要約】【課題】着座者に対して適切な方向から安定して空気を吹き出すことができる椅子の荷重支持構造物、椅子、及び、空調システムを提供する。【解決手段】荷重支持構造物は、着座者の着座荷重を支持する支持構造体本体と、支持構造体本体に固定され、吸入した空気を送出する送気装置と、送気装置から送出された空気を所定方向に案内して吹き出す誘導吹き出し手段と、を備えている。誘導吹き出し手段は、先端部が支持構造体本体の外側位置に向かうように延設された誘導通路と、誘導通路の先端部に設けられ、空気の吹き出し方向が支持構造体本体の荷重支持面と交差しかつ着座者方向に向く角度範囲で、空気の吹き出し角度を調整可能とされた吹き出し部１９と、を有している。【選択図】図２
2018108177.tif 000002
【特許請求の範囲】
【請求項１】
着座者の着座荷重を支持する支持構造体本体と、
前記支持構造体本体に固定され、吸入した空気を送出する送気装置と、
前記送気装置から送出された空気を所定方向に案内して吹き出す誘導吹き出し手段と、を備え、
前記誘導吹き出し手段は、
先端部が前記支持構造体本体の外側位置に向かうように延設された誘導通路と、
前記誘導通路の先端部に設けられ、空気の吹き出し方向が前記支持構造体本体の荷重支持面と交差しかつ着座者方向に向く角度範囲で、空気の吹き出し角度を調整可能とされた吹き出し部と、を有していることを特徴とする椅子の荷重支持構造物。
【請求項２】
前記吹き出し部には、空気の吹き出し角度を調整する操作子が設けられていることを特徴とする請求項１に記載の椅子の荷重支持構造物。
【請求項３】
前記吹き出し部は、前記支持構造体本体の椅子幅方向外側に配置されていることを特徴とする請求項１または２に記載の椅子の荷重支持構造物。
【請求項４】
前記誘導通路は、前記支持構造体本体の高強度部位に固定されていることを特徴とする請求項１〜３のいずれか１項に記載の椅子の荷重支持構造物。
【請求項５】
前記支持構造体本体は、高強度部位と、該高強度部位に保持され弾性を有する荷重受け部材と、を有し、前記送気装置の吸気部は、前記荷重受け部材に設けられた空気の流通路に連通していることを特徴とする請求項４に記載の椅子の荷重支持構造物。
【請求項６】
請求項１〜５のいずれか１項に記載の椅子の荷重支持構造物が、座、または、背凭れとして用いられていることを特徴とする椅子。
【請求項７】
前記椅子の荷重支持構造物が座として用いられ、
前記吹き出し部は、前記座の後部寄りの側方に配置されていることを特徴とする請求項６に記載の椅子。
【請求項８】
前記座の側方から上方に延出する肘掛けを備え、
前記吹き出し部は、前記肘掛けの肘載せ部の後部寄りの下方位置に配置されていることを特徴とする請求項７に記載の椅子。
【請求項９】
室内に空調空気を流通させる室内空調装置と、請求項６〜８のいずれか１項に記載の椅子を備えていることを特徴とする空調システム。
【発明の詳細な説明】
【技術分野】
【０００１】
本発明は、椅子の荷重支持構造物、椅子、及び、空調システムに関するものである。
【背景技術】
【０００２】
オフィス等で用いられる椅子として、着座者に快適性を与えるために、座面や肘掛け等に空気の吹出し部が設けられたものが知られている。
【０００３】
特許文献１に記載の椅子は、座のクッション上に前後方向に沿う凹部が設けられ、その凹部に流路形成部材が配置されるとともに、座の前端部側に流路形成部材に空気を送出するためのファンが設置されている。そして、この椅子の場合、座のクッションと流路形成部材の上面が表皮材によって覆われ、表皮材と流路形成部材によってファンからの送気を座の後部に誘導する通路が形成されている。また、表皮材の後部側の上面にはメッシュ状の排出口が設けられており、座の後部に誘導された空気はその排出口を通して背部側に吹き出すようになっている。
【先行技術文献】
【特許文献】
【０００４】
【特許文献１】特許第５６０５７７９号公報
【発明の概要】
【発明が解決しようとする課題】
【０００５】
しかしながら、特許文献１に記載の椅子においては、ファンから送られた空気を着座者の背部側に吹き出す吹き出し部（排出口）が着座面の後部に固定的に設けられているため、着座時に衣服等で吹き出し部の一部が閉塞されてしまう可能性がある。この場合、着座者に向かう空気の吹き出し量や方向が不安定になることが懸念される。
【０００６】
また、特許文献１に記載の椅子は、吹き出し部（排出口）が着座面の後部に固定的に設けられていることから、着座者の体格や姿勢、使用環境、好み等に応じた適切な空気の吹き出し方向の設定ができない。
【０００７】
そこで本発明は、着座者に対して適切な方向から安定して空気を吹き出すことができる椅子の荷重支持構造物、椅子、及び、空調システムを提供しようとするものである。
【課題を解決するための手段】
【０００８】
本発明に係る椅子の荷重支持構造物は、上記課題を解決するために、以下の構成を採用した。
本発明に係る椅子の荷重支持構造物は、着座者の着座荷重を支持する支持構造体本体と、前記支持構造体本体に固定され、吸入した空気を送出する送気装置と、前記送気装置から送出された空気を所定方向に案内して吹き出す誘導吹き出し手段と、を備え、前記誘導吹き出し手段は、先端部が前記支持構造体本体の外側位置に向かうように延設された誘導通路と、前記誘導通路の先端部に設けられ、空気の吹き出し方向が前記支持構造体本体の荷重支持面と交差しかつ着座者方向に向く角度範囲で、空気の吹き出し角度を調整可能とされた吹き出し部と、を有していることを特徴とするものである。
【０００９】
上記の構成により、送気装置から空気が送出されると、その空気は、誘導通路を通って支持構造体本体よりも外側位置の吹き出し部に誘導され、吹き出し部から着座者に向けて吹き出される。吹き出し部は、着座者の身体が触れる支持構造体本体の外側に位置されているため、空気の吹き出し口が着座者や衣服によって閉塞されにくくなる。また、着座者に対する空気の吹き出し方向は、着座者の体格や姿勢、使用環境、好み等に応じて吹き出し部で適切に調整することができる。
【００１０】
前記吹き出し部には、空気の吹き出し角度を調整する操作子が設けられるようにしても良い。
この場合、支持構造体本体の外側にある吹き出し部に操作子が設けられているため、操作子を容易に操作することができる。
【００１１】
前記吹き出し部は、前記支持構造体本体の椅子幅方向外側に配置されるようにしても良い。
この場合、支持構造体本体の椅子幅方向外側に吹き出し部が配置されることになるため、着座者が着座したまま手を伸ばして吹き出し部を容易に操作することができる。また、この場合、通常の着座姿勢での着座時に着座者が吹き出し部に当接することがなくなる。このため、吹き出し部が着座者に当接することで、疼痛を着座者に与えるのを防ぐことができる。
【００１２】
前記誘導通路は、前記支持構造体本体の高強度部位に固定されるようにしても良い。
この場合、支持構造体本体に入力される着座者からの入力荷重による影響を受けることなく、誘導通路と吹き出し部が安定的に支持構造体本体に支持される。したがって、この構成を採用した場合、着座者の荷重による影響を受けて吹き出し部からの空気の吹き出し向きが変動するのを抑制することができる。
また、吹き出し部に、空気の吹き出し角度を調整するための操作子がある場合には、操作子を安定して操作することが可能になる。
【００１３】
前記支持構造体本体は、高強度部位と、該高強度部位に保持され弾性を有する荷重受け部材と、を有し、前記送気装置の吸気部は、前記荷重受け部材に設けられた空気の流通路に連通するようにしても良い。
この場合、荷重受け部材の空気の流通路を通して送気装置の吸入部に空気が吸い込まれるため、送気装置の吸気を利用して荷重受け部材に空気を流すことができる。したがって、この構成を採用した場合には、送気装置の送気と吸気の両方を利用して着座者の異なる部位に空気の流れを付与することができる。
【００１４】
本発明に係る椅子は、上記課題を解決するために、上記のいずれかの荷重支持構造物が、座、または、背凭れとして用いられていることを特徴とするものである。
【００１５】
前記椅子の荷重支持構造物は座として用いられ、前記吹き出し部は、前記座の後部寄りの側方に配置されるようにしても良い。
この場合、着座者が座を執務用の天板付什器の天板の下方に引き寄せて着座したときにも、天板による影響を受けずに、若しくは、天板による影響を少なく抑えた状態で着座者に対して空気を安定して付与することができる。
【００１６】
前記座の側方から上方に延出する肘掛けを備え、前記吹き出し部は、前記肘掛けの肘載せ部の後部寄りの下方位置に配置されるようにしても良い。
この場合、着座者が肘掛けの肘載せ部に腕先を載せた状態のまま、着座者の脇下方向に安定した空気を付与することができる。
【００１７】
本発明に係る椅子の空調システムは、上記課題を解決するために、室内に空調空気を流通させる室内空調装置と、上記のいずれかの椅子を備えていることを特徴とするものである。
【発明の効果】
【００１８】
本発明によれば、送気装置から送出された空気を、誘導通路を通して支持構造体本体よりも外側位置の吹き出し部に誘導し、その吹き出し部から着座者に向けて吹き出すことができるうえ、着座者に対する空気の吹き出し角度を吹き出し部で調整することができる。したがって、本発明によれば、着座者に対して適切な方向から安定して空気を吹き出すことができる。
【図面の簡単な説明】
【００１９】
【図１】本発明の第１の実施形態に係る椅子の側面図である。
【図２】本発明の第１の実施形態に係る椅子の斜視図である。
【図３】本発明の第１の実施形態に係る椅子の座の平面図である。
【図４】本発明の第１の実施形態に係る椅子の座の一部部品を取り去った斜視図である。
【図５】本発明の第１の実施形態に係る椅子の座の分解斜視図である。
【図６】本発明の第１の実施形態に係る椅子の座の図３のＶＩ−ＶＩ線に沿う断面図である。
【図７】本発明の第１の実施形態に係る椅子の座の図３のＶＩＩ−ＶＩＩ線に沿う断面図である。
【図８】本発明の第１の実施形態に係る椅子の座の図３のＶＩＩＩ−ＶＩＩＩ線に沿う断面図である。
【図９】本発明の第１の実施形態に係る椅子の通気性弾性部材の一部を拡大した斜視図である。
【図１０】本発明の第１の実施形態に係る椅子の吹き出し部の斜視図である。
【図１１】本発明の第１の実施形態に係る空調装置のイメージ図である。
【図１２】本発明の第２の実施形態に係る椅子の座の平面図である。
【図１３】本発明の第２の実施形態に係る椅子の座の図１２のＸＩＩＩ−ＸＩＩＩ線に沿う断面図である。
【図１４】本発明の第２の実施形態に係る椅子の座の図１２のＸＩＶ−ＸＩＶ線に沿う断面図である。
【図１５】本発明の第３の実施形態に係る椅子の座の平面図である。
【図１６】本発明の第３の実施形態に係る椅子の座の図１５のＸＶＩ−ＸＶＩ線に沿う断面図である。
【図１７】本発明の第３の実施形態に係る椅子の座の図１５のＸＶＩＩ−ＸＶＩＩ線に沿う断面図である。
【図１８】本発明の第４の実施形態に係る椅子の座の図１６と同様の断面図である。
【発明を実施するための形態】
【００２０】
以下、本発明の実施形態を図面に基づいて説明する。
なお、以下の説明においては、椅子１に正規姿勢で着座した人の正面となる向きを「前」と呼び、それと逆側の向きを「後」と呼ぶものとする。また、「上」，「下」と「左」，「右」については、椅子１に正規姿勢で着座した人の上方となる向きを「上」、それと逆側の向きを「下」と呼び、椅子１に正規姿勢で着座した人の左側となる向きを「左」、それと逆側の向きを「右」と呼ぶものとする。図中の適所には、前方を指す矢印ＦＲと、上方を指す矢印ＵＰと、左側方を指す矢印ＬＨが記されている。
【００２１】
最初に、図１〜図１１に示す第１の実施形態について説明する。
図１は、本実施形態に係る椅子１の全体構成を示す側面図であり、図２は、椅子１を前部斜め上方から見た図である。
これらの図に示すように、本実施形態係る椅子１は、フロアＦ上に載置される脚部２と、脚部２の上端に設置されるボックス状の支基３と、支基３の上面に取り付けられた座受部材５と、座受部材５に前後位置調整可能に取り付けられ上面に着座者が着座する座４と、支基３から後部上方側に延出して座４に着座した着座者の背中を支持する背凭れ６と、座受部材５の左右の側部に取り付けられ座４に着座した着座者の腕先が載せ置かれる肘掛け１１と、を備えている。
【００２２】
脚部２は、キャスタ７ａ付きの多岐脚７と、多岐脚７の中央部より起立し昇降機構であるガススプリングを内蔵する脚柱８と、を備え、脚柱８の上端部に支基３が水平方向に回転可能に取り付けられている。
【００２３】
支基３には、脚柱８の昇降調整機構と背凭れ６の傾動調整機構が内蔵されている。脚柱８のガススプリングの操作部は、支基３内の昇降調整機構に連結されている。
【００２４】
背凭れ６は、側面視が略Ｌ字状の背凭れ支持フレーム９と、背凭れ支持フレーム９の後上部の前面に取り付けられ座４に着座した着座者の背中を直接支持する背凭れ本体１０と、を備え、背凭れ支持フレーム９の前部下端が支基３内の傾動調整機構に連結されている。
【００２５】
肘掛け１１は、座受部材５の左右の各側部から上方に起立する肘掛け支柱１１ａと、肘掛け支柱１１ａの上端部に保持された肘載せ部１１ｂと、を有している。肘載せ部１１ｂの上面は平坦に形成され、その平坦な上面に着座者の腕先が載せ置かれるようになっている。
【００２６】
本実施形態においては、座４が着座荷重支持構造体を構成している。
図３は、座４を上方から見た図であり、図４は、後述する張材１６を取り去って座４を前部斜め上方から見た図である。また、図５は、座４の分解斜視図であり、図６，図７，図８は、それぞれ図３のＶＩ−ＶＩ線沿う断面、ＶＩＩ−ＶＩＩ線沿う断面、ＶＩＩＩ−ＶＩＩＩ線沿う断面を示した図である。
【００２７】
座４は、硬質樹脂または金属から成る支持ベース１３（高強度部位）と、支持ベース１３の上面側に載置されたクッション部材１４と、クッション部材１４の上面の一部に保持される通気性弾性部材１５と、通気性弾性部材１５の後縁部の上面を覆う吸入抑制シート２５と、クッション部材１４、通気性弾性部材１５、及び、吸入抑制シート２５の外側面と支持ベース１３の外周縁部を覆う通気性を有する張材１６と、を備えている。本実施形態においては、支持ベース１３、クッション部材１４、通気性弾性部材１５、張材１６等が、着座者の荷重を支持する支持構造体本体を構成している。また、クッション部材１４と通気性弾性部材１５は、高強度部位である支持ベース１３に保持される荷重支持部を構成している。
【００２８】
また、座４は、支持ベース１３の後部寄りの下面に取り付けられた一対の送風ファン１７（送気装置）と、各送風ファン１７の送出部１７ｏに接続された送気誘導ダクト１８（誘導通路）と、送気誘導ダクト１８の先端部に設けられた吹き出し部１９と、を備えている。送気誘導ダクト１８と吹き出し部１９は、送風ファン１７から送出された空気を所定方向に案内して吹き出す誘導吹き出し手段を構成している。
【００２９】
支持ベース１３は、四隅が緩やかに湾曲した略矩形状の平面視形状に形成され、その幅方向の中央領域が下方に凹状に湾曲している。支持ベース１３の上面には、支持ベース１３の外形よりも一回り大きく、上下方向に十分な厚みを有する平面視が略矩形状のクッション部材１４が保持されている。クッション部材１４は、ウレタン等の弾性を有する難通気性の樹脂材料によって構成されている。クッション部材１４の外周縁部は、支持ベース１３の外周縁部を覆うようにして被着されている。また、支持ベース１３の幅方向の中央領域で、かつ前後方向の中央よりも後方側に偏った位置（後縁部）には、上下方向に貫通する一対の貫通孔２０が形成されている。一対の貫通孔２０は、支持ベース１３に左右に離間して形成されている。支持ベース１３の下面には、吸入部１７ｉが各貫通孔２０に臨むように一対の送風ファン１７が取り付けられている。
【００３０】
クッション部材１４の上面には、図５に示すように、前後方向の中央よりも後部寄り位置から前端部に亘って平面視が略矩形状の窪み部２２が設けられている。窪み部２２内の後部寄り位置には、支持ベース１３の各貫通孔２０に連通する一対の連通孔２１が形成されている。各連通孔２１は、支持ベース１３の貫通孔２０の直上位置に上下方向に沿って形成されている。また、窪み部２２内には、前後方向に沿って延出する複数の凹溝２３（凹部）が形成されている。複数の凹溝２３は、クッション部材１４の前端部領域から送風ファン１７の吸入部１７ｉに向かう空気の流れを案内し、それによって通気性弾性部材１５内の空気の前後方向の流通抵抗を低減させる。
【００３１】
通気性弾性部材１５は、着座者からの荷重入力方向（上下方向）に沿う空気の良好な流通を許容するシート状の部材であり、平面視が略矩形状に形成されている。通気性弾性部材１５は、クッション部材１４の窪み部２２と略同幅でかつ、窪み部２２よりも前後方向の長さが長く形成されている。通気性弾性部材１５は、後縁部がクッション部材１４の一対の連通孔２１の上方に配置され、かつ前端部がクッション部材１４の前端部に達するようにクッション部材１４の上面に載置されている。
【００３２】
通気性弾性部材１５は、上面が着座者側に面する荷重受け面とされている。支持ベース１３の下面に設置された各送風ファン１７の吸入部１７ｉは、支持ベース１３の貫通孔２０とクッション部材１４の連通孔２１を通して通気性弾性部材の１５の後縁部の下面（荷重受け面と相反する側の面）に対向している。通気性弾性部材１５は、その内部が空気の流通路とされている。したがって、送風ファン１７の吸入部１７ｉは、荷重受け部材である通気性弾性部材１５に設けられた流通路に連通している。
【００３３】
本実施形態の場合、通気性弾性部材１５の左右の側縁部は、クッション部材１４の窪み部２２に挿入され係止されている。クッション部材１４の上面側の椅子幅方向で窪み部２２に隣接する部分（縁部）は、荷重入力側（上方側）に向かって膨出する膨出部２４を構成している。左右の各膨出部２４は、内側の角部の近傍で通気性弾性部材１５の左右の側縁部に当接し、それによって通気性弾性部材１５の左右方向の位置ずれを防止している。
【００３４】
なお、通気性弾性部材１５は、その左右の側縁部の上下方向の厚みが薄い場合には、各膨出部２４の上面の一部に載置されるようにしても良い。この場合も、膨出部２４の内側の角部の近傍が通気性弾性部材１５の側縁部に接触するようにすれば、通気性弾性部材１５の左右方向の位置ずれを防止することができる。また、図４中の符号５０は、着座者の着座状態と非着座状態を検出する着座センサである。着座センサ５０は、着座者が離席したときに送風ファン１７を自動的に停止させるために用いられる。
【００３５】
吸入抑制シート２５は、通気性弾性部材１５の後部側の上面を覆うように、クッション部材１４の後縁部に取り付けられている。吸入抑制シート２５は、ポレエチレンシート等の不通気性のシート材によって形成されており、通気性弾性部材１５の後縁部の上面からの通気性弾性部材１５の内部への直接的な空気の流入を抑制する。通気性弾性部材１５は、直下の送風ファン１７の吸入部１７ｉから吸引力を受けて上下左右前後の様々な方向から空気が流入するが、吸入抑制シート２５の配置されている領域では上方からの空気の流入が制限されている。なお、吸入抑制シート２５は、ばょうきのポリエチレンシートの他、織り目の小さな織物や、編み目の小さな編物等であっても良い。
【００３６】
本実施形態の場合、着座者の臀部の後方側に位置される部分が吸気不要領域とされ、その部分に吸入抑制シート２５が設置されている。本実施形態においては、吸入抑制シート２５は、通気性弾性部材１５の上面のうちの送風ファン１７の吸入部１７ｉの直上位置に跨るように設置されている。なお、吸入抑制シート２５は、通気性弾性部材１５の上面の後縁部に限らず、通気性弾性部材１５の上面のうちの吸気が不要な領域であればいずれの部分に設置しても良い。
【００３７】
図９は、通気性弾性部材１５の一部を拡大して示した図である。
通気性弾性部材１５は、図９に示すように、上面（荷重受面）に沿って延在する表面層２６と、上面（荷重受面）に沿って延在し表面層２６と対向方向で離間して配置された裏面層２７と、表面層２６と裏面層２７の間にあって両者を連結する接続層２８と、を有している。表面層２６と裏面層２７とは、化学繊維や天然繊維等の各種の繊維から成る線状体２９がメッシュ状に接合された比較的に強度の高い層となっている。また、接続層２８は、荷重入力方向に沿う方向に弾性変形可能なナイロンやポリエステル等の材料から成る撚っていない複数の線状体３０（モノフィラメント）によって構成されており、表面層２６の線状体２９と裏面層２７の線状体２９を相互に連結している。
【００３８】
通気性弾性部材１５は、表面層２６と裏面層２７のメッシュ構造部が、接続層２８の線状体３０によって接続されているため、荷重入力方向（上下方向）の空気の流通を許容する。また、通気性弾性部材１５は、接続層２８の複数の線状体３０の間に隙間が設けられているため、荷重入力方向と交差する方向の空気の流通も許容する。
【００３９】
支持ベース１３の下面に取り付ける送風ファン１７は、本実施形態の場合、シロッコ式のファンによって構成されている。送風ファン１７の送出部１７ｏは、支持ベース１３の下方において左右の側部後方側に向かって開口している。各送出部１７ｏには、送気誘導ダクト１８が接続されている。送気誘導ダクト１８は、送風ファン１７の送出部１７ｏから支持ベース１３の下面に沿って先端部が支持ベース１３の側方に向かって延出している。送気誘導ダクト１８の先端部には、正面視が略Ｌ字状の吹き出し部１９が接続されている。吹き出し部１９は、支持ベース１３とクッション部材１４及び張材１６（座本体部）の左右の側面の外側を回り込んで先端部が上方に延出している。吹き出し部１９は、支持ベース１３の左右の側縁部の下面にブラケット３１（図３参照）を介して締結固定されている。
なお、本実施形態においては、送風誘導タクト１８は、可撓性を有する部材によって構成されている。これにより、座４を座受け部材５に対して前後方向に位置調整するときに、座と一体に移動した送気誘導ダクト１８が支基３側の部材と強接触するのを防止することができる。
【００４０】
図１０は、座４の左側方に配置される吹き出し部１９の先端部を左前部上方側から見た図である。
本実施形態の場合、吹き出し部１９は、座４の後部寄りの側方位置、より正確には、左右の対応する肘掛け１１の肘載せ部１１ｂの後部寄りの下方位置に配置されている。吹き出し部１９の先端部は、上方に向かって開口する吹き出し口１９ａの内側に、吹き出し角度調整用のルーバー５８が配置されている。吹き出し口１９ａは、空気の吹出し方向が荷重支持面と非平行でかつ着座者方向を向くように概ね上方を向いて開口している。本実施形態の場合、ルーバー５８は、左右方向に角度調整可能とされている。また、吹き出し部１９の外側側面には、角度調整用の回動操作子５５（操作子）が取り付けられている。回動操作子５５は、ルーバー５８の図示しない回動機構に連係され、着座者による回動操作によってルーバー５８の左右方向の指向角度を調整できるようになっている。
また、吹き出し部１９の先端部は、図示は省略されているが、椅子１の幅方向に沿う軸心周りに傾動調整可能とされている。これにより、着座者が吹き出し部１９の先端部を手で把持し、前後方向に傾動させることによって、吹き出し部１９の先端部からの空気の吹出し方向を前後に適正に調整することができる。
【００４１】
なお、本実施形態においては、吹き出し部１９の吹き出し角度を調整する調整子が回動操作子によって構成されているが、調整子は回動式に限るものでない。また、本実施形態においては、吹き出し部１９の空気の吹き出し方向が左右方向と前後方向に調整可能となっているが、吹き出し部１９での空気の吹き出し方向は、左右方向と前後方向のいずれか一方のみ調整できるようにしても良い。
【００４２】
また、図２，図３，図５，図６に示すように、左右の一方の吹き出し部１９の前面には、風量調整スイッチを兼ねる送風ファン１７の電源スイッチ５６が設置されている。電源スイッチ５６は、例えば、操作ノブをスライド操作するタイプのスイッチによって構成され、ノブの操作位置に応じて、送風ファン１７の電源のＯＮ，ＯＦＦと、送風モード（送風の強弱）の切り換えを行えるようになっている。
【００４３】
電源スイッチ５６は、図示しない配線によって、図８に示す送風ファン１７の制御装置５２に接続されている。送風ファン１７と制御装置５２には、送風ファン１７の駆動電源であるバッテリ５１が接続されている。
本実施形態の場合、バッテリ５１と制御装置５２は、座４の支持ベース１３の後縁部側の下面に取り付けられている。なお、バッテリ５１や制御装置５２の設置位置はこの位置に限るものでなく、例えば、背凭れ６等に設置するようにしても良い。
【００４４】
以上のように構成された椅子１は、以下のようにして着座者回りの空調が行われる。
即ち、座４に着座者が着座し、その状態で送風ファン１７の電源スイッチ５６が入れられると、座４の内部から左右の送風ファン１７の吸入部１７ｉに空気が吸入され、その空気が各送風ファン１７の送出部１７ｏから送気誘導ダクト１８を通って、各吹き出し部１９から吹き出される。吹き出し部１９から吹き出された空気は着座者の脇部や腕部等に空気流として当てられる。
【００４５】
また、送風ファン１７の吸入部１７ｉに吸引される空気は、図８に示すように、支持ベース１３の貫通孔２０とクッション部材１４の連通孔２１を通して通気性弾性部材１５の下面から吸い入れられる。通気性弾性部材１５は、送風ファン１７の吸入部１７ｉの直上部位置こそ吸入抑制シート２５によって上面側を閉塞されているものの、それよりも前方側の上面は閉塞されずに通気性の張材１６によって覆われている。このため、送風ファン１７の吸入部１７ｉには、張材１６の表面から通気性弾性部材１５の内部に流入した空気が吸い込まれる。このとき、張材１６のうちの着座者の着座位置の周囲から空気の吸い込みが行われ、このときの空気の流れが着座者に直接爽快感を与えるとともに、衣服や身体の水分の気化による冷却を促し、着座者に冷感を与える。
【００４６】
図１１は、本実施形態に係る椅子１の執務室６０内での使用形態の一例を示す図である。
同図において、符号６１は、執務室６０内に椅子１とともに設置されたデスク装置であり、符号６２は、執務室６０の天井ＣとフロアＦに設置された空調吹き出し部（室内に空調空気を流通させる室内空調装置）である。本使用形態においては、椅子１回りの空気の流れがタスク・アンビエント空調におけるタスク空調を構成している。
【００４７】
タスク・アンビエント空調は、室内を、作業域（タスク域）とそれ以外の周辺域（アンビエント域）とに区画し、周辺域の熱負荷等を処理するベース空調と、執務空間での人体発熱等を処理するタスク空調とで構成することで、快適性を損なわずに省エネルギー化を図る空調システムである。本使用形態における空調システムは、執務室６０内の空調吹き出し部６２がベース空調を構成し、着座者回りの空気の流れを提供する椅子１の空気流通部がタスク空調を構成している。
【００４８】
以上のように、本実施形態に係る座４やその座４を用いる椅子１は、送風ファン１７から送出された空気を、送気誘導ダクト１８を通して支持構造体本体（支持ベース１３，クッション部材１４，通気性弾性部材１５，張材１６）よりも側部外側に配置されている吹き出し部１９に誘導し、吹き出し部１９から着座者に向けて吹き出すことができるうえ、着座者に対する空気の吹き出し角度を吹き出し部１９で適切に調整することができる。したがって、本実施形態に係る座４や椅子１を採用した場合には、着座者に対して適切な方向から安定して空気を吹き出すことができる。
【００４９】
また、本実施形態に係る座４や椅子１は、支持構造体本体の椅子幅方向外側に配置された吹き出し部１９に、空気の吹き出し角度を調整する、本発明における操作子としての回動調整子５５が設けられているため、空気の吹き出し角度を吹き出し方向を確認しながら容易に調整することができる。
また、本実施形態に係る座４や椅子１においては、吹き出し部１９が支持構造体本体の椅子幅方向外側に配置されているため、通常姿勢での着座時に吹き出し部１９が着座者に当接することがない。このため、着座者に疼痛を与えるのを防ぐことができる。
なお、吹き出し部１９は、支持構造体本体の後方や前方に配置することも可能であるが、本実施形態のように支持構造体本体の椅子幅方向外側に配置した場合には、着座者が座４に着座した状態のまま、手を伸ばして空気の吹き出し角度を容易に調整することができる。
【００５０】
さらに、本実施形態に係る座４や椅子１においては、誘導通路である送気誘導ダクト１８が、支持構造体本体の高強度部位である支持ベース１３に固定設置されているため、座４に入力される着座者からの入力荷重の影響を受けることなく、送気誘導ダクト１８と吹き出し部１９を安定的に支持することができる。したがって、本実施形態に係る座４や椅子１を採用した場合には、着座者の荷重による影響を受けて、吹き出し部１９からの空気の吹き出し向きが、着座者の意図しない方向へ変動するのを抑制することができる。また、この場合、吹き出し部１９に設けられた回動操作子５５を安定して回動操作することができる。
【００５１】
また、本実施形態に係る座４や椅子１は、支持構造体本体が高強度部位である支持ベース１３と、荷重受け部材であるクッション部材１４及び通気性弾性部材１５と、を有し、送風ファン１７の吸入部１７ｉが通気性弾性部材１５の内部の流通路に連通している。このため、送風ファン１７の吸気を利用して通気性弾性部材１５に空気を流すことができる。したがって、本実施形態に係る座４や椅子１を採用した場合には、送風ファン１７の送気と吸気の両方を利用して着座者の異なる部位に空気の流れを付与することができる。
【００５２】
また、本実施形態に係る荷重支持構造物の構成は、座４に限らず背凭れ６にも採用することができる。しかし、本実施形態のように座４に上記の構成を採用し、吹き出し部１９を座４の後部寄りの側方に配置した場合には、着座者が座４をデスク装置６１等の天板の下方に引き寄せて着座したときでも、天板による影響受けずに、若しくは、天板による影響を少なく抑えた状態で着座者に対して空気を安定して付与することができる。
【００５３】
また、特に本実施形態のように、吹き出し部１９を肘掛け１１の肘載せ部１１ｂの後部寄りの下方位置に配置した場合には、着座者が肘掛け１１の肘載せ部１１ｂに腕先を載せた状態で、着座者の脇下方向に安定した空気を付与することができる。したがって、この構成を採用した場合には、着座者に心地良い涼感を与えることができる。
【００５４】
つづいて、図１２〜図１４に示す第２の実施形態について説明する。
第２の実施形態は、基本的な構成は第１の実施形態とほぼ同様であるが、送風ファン１７に接続される誘導吹き出し手段の誘導通路の構成のみが異なっている。なお、以下で説明する各実施形態においては、第１の実施形態と共通部分に同一符号を付し、重複する説明を省略するものとする。
【００５５】
図１２は、座４を上方から見た図であり、図１３，図１４は、図１２のＸＩＩＩ−ＸＩＩＩ線に沿う断面とＸＩＶ−ＸＩＶ線に沿う断面をそれぞれ示す図である。
第１の実施形態の誘導通路は、全体が送気誘導ダクト１８によって構成されていたが、第２の実施形態の誘導通路は、その一部が支持ベース１３の上面と、クッション部材１４の下面に形成された通路溝３５とによって形成されている。
【００５６】
第２の実施形態においては、基本的に第１の実施形態と同様の効果を得ることができるが、誘導通路の一部が支持ベース１３の上面側に位置されているため、誘導通路が支持ベース１３の下方側で周囲の部材と干渉したり、誘導通路が周囲の部材の設置スペースを狭めるのを抑制することができる。
【００５７】
さらに、図１５〜図１７に示す第３の実施形態について説明する。
図１５は、座４を上方から見た図であり、図１６，図１７は、図１５のＸＶＩ−ＸＶＩ線に沿う断面とＸＶＩＩ−ＸＶＩＩ線に沿う断面をそれぞれ示す図である。
第３の実施形態は、第２の実施形態と同様に、誘導通路の一部が支持ベース１３の上面と、クッション部材１４の下面に形成された通路溝３５とによって形成され、さらに送風ファン１７が支持ベース１３の上面側に固定設定されている。
【００５８】
第３の実施形態においては、誘導通路の一部とともに送風ファン１７が支持ベース１３の上面側に配置されているため、空気流通部が支持ベース１３の下方に占めるスペースをより狭めることができる。
【００５９】
なお、本発明は上記の実施形態に限定されるものではなく、その要旨を逸脱しない範囲で種々の設計変更が可能である。例えば、上記の実施形態においては、座４が荷重支持構造物とされているが、荷重支持構造物は背凭れ６であっても良い。また、送風ファン１７、送気誘導ダクト１８、吹き出し部１９の数量は、上記の実施形態のものに限らず、要求される風量の条件やニーズに応じて適宜変更しても良い。
【００６０】
また、上記の実施形態においては、座４の支持ベース１３の上部にクッション部材１４を設置し、そのクッション部材１４に通気性弾性部材１５を保持させているが、図１８に示す第４の実施形態のように、支持ベース１３上にクッション部材を設置せずに、通気性弾性部材１５を複数枚重ねて配置するようにしても良い。
【符号の説明】
【００６１】
１  椅子
４  座（着座荷重支持構造体）
６  背凭れ
１１  肘掛け
１１ｂ  肘載せ部
１３  支持ベース（高強度部位，支持構造体本体）
１４  クッション部材（荷重受け部材，支持構造体本体）
１５  通気性弾性部材（荷重受け部材，支持構造体本体）
１６  張材（支持構造体本体）
１７  送風ファン（送気装置）
１８  送気誘導ダクト（誘導通路，誘導吹き出し手段）
１９  吹き出し部（誘導吹き出し手段）
５５  回動操作子（操作子）
６２  空調吹き出し部（室内空調装置）
【図１】
2018108177.tif 000003
【図２】
2018108177.tif 000004
【図３】
2018108177.tif 000005
【図４】
2018108177.tif 000006
【図５】
2018108177.tif 000007
【図６】
2018108177.tif 000008
【図７】
2018108177.tif 000009
【図８】
2018108177.tif 000010
【図９】
2018108177.tif 000011
【図１０】
2018108177.tif 000012
【図１１】
2018108177.tif 000013
【図１２】
2018108177.tif 000014
【図１３】
2018108177.tif 000015
【図１４】
2018108177.tif 000016
【図１５】
2018108177.tif 000017
【図１６】
2018108177.tif 000018
【図１７】
2018108177.tif 000019
【図１８】
2018108177.tif 000020